(57)【要約】      （修正有）【課題】ユーザーが携帯しやすいように構造が単純で、飲料を淹れたとき自動で高圧水を発生させることができ、淹れた飲料の香りは豊かである携帯式家庭用ドリンクディスペンサーを提供する。【解決手段】本体構造及び本体構造と取り外し可能に接続したコップ１００を含み、本体構造内に水収容室２００、加圧装置５００、原料収容室６００及び原料収容室を開閉するための原料収容室基部が設けられ、原料収容室基部が本体構造または原料収容室と取り外し可能に接続され、かつコップと連通しており、コップが本体構造と接続しているときに形成される空間に排出するすべての飲料を収容できる携帯式家庭用ドリンクディスペンサーに関する。携帯式家庭用ドリンクディスペンサーは、嵩が小さく、携帯しやすく、水収容室における水を加圧装置によって自動的に高圧水に変え、原料と混合して得られた飲料は最終的に本体構造と接続しているコップ内に流入する。【選択図】図１
2018047236.tif 000002
【特許請求の範囲】
【請求項１】
原料を水に加えて飲料を作るための携帯式家庭用ドリンクディスペンサーであって、
本体構造及び前記本体構造と取り外し可能に接続したコップ（100）を含み、
前記本体構造内には、水を収容するための水収容室と、加圧装置と、原料を収容するための原料収容室と、前記原料収容室を開閉するための原料収容室基部とがこの順に連通して設けられており、
前記原料収容室基部は、前記本体構造または前記原料収容室と取り外し可能に接続され、かつ前記コップ（100）と連通しており、
前記コップ（100）が前記本体構造と接続しているときに形成される空間には、排出するすべての飲料を収容できることを特徴とする、
携帯式家庭用ドリンクディスペンサー。
【請求項２】
前記水収容室は水タンク（200）であり、前記原料収容室はカプセルポット（600）であり、前記原料収容室基部はカプセルポット基部であり、前記加圧装置はポンプ（500）であり、
前記カプセルポット（600）内において、水で原料を加熱、浸透した後、飲料を得ることを特徴とする、
請求項１に記載の携帯式家庭用ドリンクディスペンサー。
【請求項３】
前記コップ（100）の台座は水平構造であり、及び／又は
前記コップ（100）の外壁には、シリコーンが設けられていることを特徴とする、
請求項１に記載の携帯式家庭用ドリンクディスペンサー。
【請求項４】
前記本体構造は、順に接続される第一チャンバー及び第二チャンバーを含み、
前記水タンク（200）は前記第一チャンバー内に設けられ、前記ポンプ（500）、前記カプセルポット（600）及び前記カプセルポット基部は前記第二チャンバー内に設けられており、
前記コップ（100）は、前記第二チャンバーと取り外し可能に接続されており、
前記第一チャンバー内には、前記水タンク（200）を加熱するための加熱装置（300）がさらに設けられており、
前記第二チャンバー内には、前記ポンプ（500）及び前記加熱装置（300）に電力を供給するための電池（400）がさらに設けられていることを特徴とする、
請求項２に記載の携帯式家庭用ドリンクディスペンサー。
【請求項５】
前記カプセルポット基部は貫通構造（700）であり、
前記貫通構造（700）は、前記カプセルポット（600）内における飲料カプセルの底部を刺し通し、かつ飲料カプセルを前記コップ（100）に連通させるために用いられ、
前記カプセルポット（600）は、底部の周縁が外側に向かって延びていることを特徴とする、
請求項２に記載の携帯式家庭用ドリンクディスペンサー。
【請求項６】
前記貫通構造（700）は、貫通台（71）、凸起（72）及び貫通孔（73）を含み、
前記凸起（72）は、前記貫通台（71）の上面に設けられ、前記カプセルポット（600）内における飲料カプセルの底部を刺し通すために用いられ、
前記貫通孔（73）は、前記貫通台（71）を刺し通し、飲料カプセルを前記コップ（100）に連通させるために用いられ、及び／又は
前記貫通構造（700）は貫通台台座（74）をさらに含み、前記貫通台（71）が前記貫通台台座（74）内に嵌設され、前記貫通台台座（74）の底部に飲料液流出口が設けられており、
前記貫通台台座（74）は、ネジまたは留め具付きのスナップによって前記カプセルポット（600）の底部に接続されていることを特徴とする、
請求項５に記載の携帯式家庭用ドリンクディスペンサー。
【請求項７】
前記貫通孔（73）は、中空構造である前記凸起（72）に設けられており、又は
前記凸起（72）と前記貫通孔（73）とは、前記貫通台（71）に交差して設けられ、格子状に配列されていることを特徴とする、
請求項６に記載の携帯式家庭用ドリンクディスペンサー。
【請求項８】
前記カプセルポット（600）内には、飲料カプセルの頂部を刺し通すための貫通ナイフ（61）が設けられており、
前記貫通ナイフ（61）は、貫通ナイフ台座（611）と、前記貫通ナイフ台座（611）に設けられたブレード（612）とを含み、
前記貫通ナイフ台座（611）は円環状構造であり、前記カプセルポット（600）の頂部に嵌設されており、
前記カプセルポット（600）は、頂部に前記ポンプ（500）の出水口に連通した穴が設けられ、その頂部における穴に円環状構造の内環が対向しており、
前記カプセルポット（600）は、底部の周縁が外側に向かって延びており、
前記ブレード（612）は前記貫通ナイフ台座（611）を取り囲んで設けられ、及び／又は前記ブレード（612）の刃部は傾斜構造を呈することを特徴とする、
請求項２に記載の携帯式家庭用ドリンクディスペンサー。
【請求項９】
前記第二チャンバー内には、垂直の第一収納室（81）及び第二収納室（82）を含む支柱構造（800）が設けられており、
前記ポンプ（500）及び前記電池（400）は、それぞれ前記第一収納室（81）と前記第二収納室（82）内に固定して取り付けられており、
前記第一収納室（81）の底部に開口部（811）が設けられ、前記ポンプ（500）の出水口は前記開口部（811）を通じて前記カプセルポット（600）と連通しており、前記ポンプ（500）及び前記電池（400）が前記支柱構造（800）に取り付けられた後、全体として略円柱体構造を呈し、
前記開口部（811）は楕円形構造を呈し、長手方向における一端が前記ポンプ（500）の出水口と連通して、他端が前記支柱構造（800）底部の中心に位置することを特徴とする、
請求項４又は５に記載の携帯式家庭用ドリンクディスペンサー。
【請求項１０】
前記ポンプ（500）は、L型構造を呈し、その取水口及び出水口がL型構造の水平方向に並設されており、
前記第一収納室（81）内には、前記ポンプ（500）を固定するための２つの対向する固定板（51）が設けられていることを特徴とする、
請求項９に記載の携帯式家庭用ドリンクディスペンサー。
【請求項１１】
前記電池（400）は、前記第二収納室（82）内に取り外し可能に設けられており、
前記電池（400）と前記第二収納室（82）の間には、防水ワッシャー（41）が設けられていることを特徴とする、
請求項９に記載の携帯式家庭用ドリンクディスペンサー。
【請求項１２】
前記支柱構造（800）は、前記ポンプ（500）を固定するための固定リング（52）をさらに含み、
前記固定リング（52）は、前記第一収納室（81）と接続されていることを特徴とする、
請求項９に記載の携帯式家庭用ドリンクディスペンサー。
【請求項１３】
前記水タンク（200）の頂部に取り外し可能な蓋が設けられ、前記蓋に排気口（1）及びカバー（2）が設けられ、
前記カバー（2）は、透かし彫り構造を呈し、前記排気口（1）を覆うように構成されており、
前記蓋における前記水タンク（200）と噛み合う位置には、シリコーンマットが設けられていることを特徴とする、
請求項２に記載の携帯式家庭用ドリンクディスペンサー。
【請求項１４】
逆止弁（900）をさらに含み、
前記ポンプ（500）の出水口は、前記逆止弁（900）を通じて前記カプセルポット（600）と連通していることを特徴とする、
請求項２に記載の携帯式家庭用ドリンクディスペンサー。
【請求項１５】
前記水タンク（200）の最大容量は50mlであり、及び／又は
前記ポンプ（500）作動時の圧力は少なくとも7barsであり、及び／又は
前記ポンプ（500）における水が飲料カプセルに侵入するときの貫通圧力は15barsであることを特徴とする、
請求項２に記載の携帯式家庭用ドリンクディスペンサー。
【発明の詳細な説明】
【技術分野】
【０００１】
本発明は家電技術分野に関し、より具体的には携帯式家庭用ドリンクディスペンサーに関する。
【背景技術】
【０００２】
生活水準の向上に伴い、人々は次第に自分の生活の質を重視するようになり、早朝またはリラックスするときに飲料を飲むことが飲料愛好者の必須になっている。従来の飲料を作成する方式は、ほとんどが沸騰した熱湯をコップの中に注いでコップにおける飲料パウダーを溶かすものである。このようにして淹れた飲料の味は普通で、飲料の味を厳しく追求する人を満足させることができなかった。そのため、ドリンクディスペンサーが次第に人々の視界に入ってくるようになった。しかし、従来のドリンクディスペンサーは通常、嵩が非常に大きく、家の中に置いて使用することしかできず、人々が携帯するには向かず、人々が外出旅行時にいつでもどこでも淹れ立ての飲料を飲むことはできなかった。また、ドリンクディスペンサーの中にはユーザーが携帯しやすいように嵩の小さなものもあったが、ユーザーが飲料を飲みたいとき、手動で加圧して高圧水を発生させなければ豊かな香りの飲料を淹れることはできず、これがドリンクディスペンサーの使用を限定させていた。
【発明の概要】
【発明が解決しようとする課題】
【０００３】
本発明は、従来技術の不足を克服し、ユーザーが携帯しやすいように構造が単純で、嵩が小さいだけでなく、ユーザーのいつでもどこでも飲料を飲みたいという要望を満たし、かつ飲料を淹れたとき自動で高圧水を発生させることができ、淹れた飲料の香りは豊かである携帯式家庭用ドリンクディスペンサーを提供することを目的とする。
【課題を解決するための手段】
【０００４】
前記技術問題を解決するため、本発明が採用した技術的解決法は、
原料を水に加えて飲料を作るための携帯式家庭用ドリンクディスペンサーであって、本体構造及び本体構造と取り外し可能に接続したコップを含み、前記本体構造内には、水を収容するための水収容室と、加圧装置と、原料を収容するための原料収容室と、原料収容室を開閉するための原料収容室基部とがこの順に連通して設けられており、原料収容室基部は、本体構造または原料収容室と取り外し可能に接続され、かつコップと連通しており、コップが本体構造と接続しているときに形成される空間には、排出する全ての飲料を収容できる携帯式家庭用ドリンクディスペンサーを提供することである。
【０００５】
前記解決法では、水を収容するための水収容室、加圧装置、原料を収容するための原料収容室及び原料収容室を開閉するための原料収容室基部を本体構造内に設け、本体構造をコップと取り外し可能に接続することで、該コーヒーメーカーの嵩を減少し、携帯に便利である。また、加圧装置を設けることで、水収容室における水を加圧装置によって自動的に高圧水に変え、高圧水が原料が収容された原料収容室に入った後、原料収容室における原料と混合して得られた飲料が、最終的に本体構造と接続しているコップ内に流入し、使用者はコップを取れば、香り豊かな飲料を飲むことができる。
【０００６】
好ましくは、水収容室は水タンクであり、原料収容室はカプセルポットであり、原料収容室基部はカプセルポット基部であり、加圧装置はポンプである。
【０００７】
好ましくは、コップの基部は水平構造である。該携帯式家庭用ドリンクディスペンサーを例えばテーブルなどに置いたとき、基部によって該ドリンクディスペンサーをより安定に支持し、ドリンクディスペンサーのテーブル上での安定性を高めることができる。
【０００８】
好ましくは、カプセルポット内において、水で原料を加熱、浸透した後、飲料が得られる。こうすることで、原料と水を十分に混合し、出来上がった飲料の香りがより豊かになることを保証する。
【０００９】
好ましくは、本体構造は、順にした第一チャンバー及び第二チャンバーを含み、水タンクは第一チャンバー内に設けられ、ポンプ、カプセルポット及びカプセルポット基部は第二チャンバー内に設けられ、コップは第二チャンバーと取り外し可能に接続されている。
【００１０】
好ましくは、第一チャンバー内には、水タンクを加熱するための加熱装置がさらに設けられている。このような構成により、水タンクにおける水のリアルタイムな加熱を容易にする。さらに好ましくは、前記加熱装置は、水タンクの底部に設けられているPCT加熱チップである。このような構成により、水タンクにおける水の迅速な加熱を保証し、それによって使用者の飲料を飲むまでの待ち時間を削減することができる。
【００１１】
好ましくは、前記第二チャンバー内には、ポンプ及び加熱装置に電力を供給するための電池がさらに設けられている。電池を設けることにより、室外に電源がない状況でも、使用者は飲料を作ることができ、使用者に便宜を図ることができる。
【００１２】
好ましくは、カプセルポット基部は貫通構造であり、その貫通構造はカプセルポット内における飲料カプセルの底部を刺し通し、かつ飲料カプセルをコップに連通させるために用いられる。このような構成により、使用者は原料を詰めた飲料カプセルを使用して飲料を作ることができ、カプセルポットの汚染を防ぐことができ、使用時に飲料カプセルの頂部に予め穴を開けておくだけでよい。
【００１３】
好ましくは、前記貫通構造は、貫通台、凸起及び貫通孔を含み、前記凸起は貫通台の上面に設けられ、カプセルポット内にある飲料カプセルの底部を刺し通すために用いられ、前記貫通孔は貫通台を刺し通し、飲料カプセルをコップに連通させるために用いられる。凸起が貫通構造の上方にある飲料カプセルの底部と接触したとき、飲料カプセルの底部に圧力を加え、飲料カプセル内の圧力が一定値に達したとき、凸起が飲料カプセルの底部を刺し通し、飲料カプセルにおける出来上がった飲料液が貫通孔からコップ内に流れ出す。このような構成により、飲料カプセルにおける飲料液がスムーズに流出し、ユーザーの待ち時間を削減する。
【００１４】
好ましくは、前記貫通孔は、中空構造である凸起に設けられており、または、前記凸起と貫通孔とは、貫通台に交差して設けられている。この二つの解決法は該貫通構造の貫通及び導流機能を実現できる。さらに好ましくは、前記凸起と貫通孔とは、格子状に配列されている。このような構成により、貫通構造全体が受ける力を均一にし、受ける力の不均一がもたらす貫通不良及び導流不良などの問題を防ぐ。
【００１５】
好ましくは、前記凸起は台形構造を呈している。このような構成により、同様の圧力において、凸起から飲料カプセルの底部に加える圧力を強め、飲料カプセル底部への刺し通しに役立つ。
【００１６】
好ましくは、前記貫通構造は貫通台台座をさらに含み、貫通台が貫通台台座内に嵌設され、貫通台台座の底部に飲料液流出口が設けられている。さらに好ましくは、前記貫通台台座は、ネジまたは留め具付きのスナップによってカプセルポットの底部に接続されている。このような構成により、貫通構造における凸起を飲料カプセルの底部と密接させ、凸起が飲料カプセルの底部を刺し通すことを容易にする。
【００１７】
好ましくは、前記カプセルポット内には、飲料カプセルの頂部を刺し通すための貫通ナイフが設けられている。飲料カプセルを使用して飲料を作るとき、このような構成により、飲料カプセルの頂部に予め穴を開けておく手間を省くことができ、使用者に便宜を図る。
【００１８】
好ましくは、前記貫通ナイフは、貫通ナイフ台座と、貫通ナイフ台座に設けられたブレードとを含み、前記貫通ナイフ台座は円環状構造であり、カプセルポットの頂部に嵌設され、カプセルポットは、頂部にポンプの出水口に連通した穴が設けられ、その頂部における穴に円環状構造の内環が対向している。このような構成により、カプセルポットの構造を簡素化できる。
【００１９】
好ましくは、前記ブレードは、貫通ナイフ台座を取り囲んで設けられている。こうすることで、貫通ナイフ台座の強度を保証する同時に、貫通ナイフ台座のサイズを減少でき、さらにカプセルポットのサイズを減少できる。
【００２０】
好ましくは、前記ブレードの刃部は傾斜構造を呈している。このような構成により、ブレードの刃部と飲料カプセルの頂部との接触面が徐々に増大し、ブレードの刃先が飲料カプセルの頂部と接触するとき、飲料カプセルの頂部に加わる圧力が大きくなり、ブレードが飲料カプセル頂部を刺し通すことを容易にする。
【００２１】
好ましくは、前記カプセルポットは、底部の周縁が外側に向かって延びている。このような構成により、カプセルポットの下方にある貫通構造が飲料カプセルと接触するとき、貫通構造を支持する効果を発揮し、貫通構造が飲料カプセルの底部を刺し通すことを容易にする。
【００２２】
好ましくは、第二チャンバー内には、垂直の第一収納室及び第二収納室を含む支柱構造が設けられており、ポンプ及び電池はそれぞれ第一収納室と第二収納室内に固定して取り付けられ、前記第一収納室の底部に開口部が設けられ、ポンプの出水口は開口部を通じてカプセルポットと連通しており、ポンプ及び電池を支柱構造に取り付けた後、全体として略円柱体構造を呈している。このような構成により、ポンプ、電池及びカプセルポットの取り付け空間は合理的に配置され、それによって、該携帯式家庭用ドリンクディスペンサー全体の嵩が小さくなり、ユーザーの携帯に便利である。
【００２３】
好ましくは、前記ポンプは、L型構造を呈し、その取水口及び出水口がL型構造の水平方向に並設されている。このような構成によってポンプの占用する横方向の空間を縮小し、さらに支柱構造のサイズを減少し、それによって該携帯式家庭用ドリンクディスペンサーのサイズを減少することができる。
【００２４】
好ましくは、前記電池は、第二収納室内に取り外し可能に設けられている。ユーザーが該携帯式家庭用ドリンクディスペンサーを携帯して外出するとき、いくつかの電池を準備すれば、いつでも飲料を作るという要望を叶えることができる。さらに好ましくは、前記電池と第二収納室の間には、防水ワッシャーが設けられている。防水ワッシャーを設けることにより、よりしっかりと電池を保護し、電池への水の浸入を防ぐことができる。
【００２５】
好ましくは、前記開口部は楕円形構造を呈し、長手方向における一端がポンプの出水口と連通して、他端が支柱構造底部の中心に位置する。このような構成により、水を支柱構造の側壁から支柱構造の中心に流れ出しやすく、その後飲料を淹れるときに支柱構造の側壁への衝撃力によるドリンクディスペンサーの傾きを防ぐ。
【００２６】
好ましくは、前記第一収納室内には、ポンプを固定するための２つの対向する固定板が設けられている。ポンプを二つの固定板の間に位置させることにより、ポンプのモーター作動時にポンプの揺れ、それよってポンプの取水口及び出水口との接続構造の緩み、ポンプの取水口及び出水口からの水漏れを防ぐ。
【００２７】
好ましくは、前記支柱構造は、ポンプを固定するための固定リングをさらに含み、前記固定リングは、第一収納室と接続されている。固定リングはポンプの外側に取り付けた後、固定リングの両側をネジによって第一収納室と接続している。そうすることでポンプをさらに固定し、ポンプの揺れを防止することができる。
【００２８】
好ましくは、水タンクの頂部に取り外し可能な蓋が設けられ、前記蓋に排気口及びカバーが設けられ、カバーは、透かし彫り構造を呈し、排気口を覆うように構成されている。排気口を設けることによりドリンクディスペンサーにおける水蒸気を排出しやすく、カバーを設けることによりドリンクディスペンサーが傾いたときに熱水が直接噴射して使用者が怪我をするのを防ぐことができる。さらに好ましくは、蓋における水タンクと噛み合う位置には、シリコーンマットが設けられている。このような構成により、水タンクの漏水を防ぐことができる。
【００２９】
好ましくは、前記ドリンクディスペンサーは逆止弁をさらに含み、ポンプの出水口は逆止弁を通じてカプセルポットと連通している。逆止弁を設けることにより出来上がった飲料液の逆流を防止できる。
【００３０】
好ましくは、コップの外壁には、シリコーンが設けられている。シリコーンはコップとテーブル表面または使用者の手との摩擦力を高め、滑り防止の役割を果たすことができる。
【００３１】
好ましくは、本体構造上には、電池と接続する交流アダプター差込口がさらに設けられている。USBの両端をそれぞれ交流アダプター差込口及び車の電源に接続すると、該家庭用ドリンクディスペンサーを駆動して飲料を作成したり、電池を充電したりすることができる。
【００３２】
好ましくは、水タンクの最大容量は50mlである。
【００３３】
好ましくは、ポンプ動作時の圧力は少なくとも7barsである。さらに好ましくは、ポンプにおける水が飲料カプセルに侵入するときの貫通圧力は15barsである。高圧力の水により、出来上がった飲料の香りの豊かさを保証できる。
【発明の効果】
【００３４】
従来技術と比較し、本発明の有益効果は次の通りである。
【００３５】
本発明の携帯式家庭用ドリンクディスペンサーは、水を収容するための水収容室と、加圧装置と、原料を収容するための原料収容室と、原料収容室を開閉するための原料収容室基部とを本体構造内に設け、本体構造をコップと取り外し可能に接続し、コーヒーメーカーの嵩を減少し、携帯を容易にする。また、加圧装置を設けることで、水収容室における水を加圧装置によって自動的に高圧水に変え、高圧水が原料の収容された原料収容室に入った後、原料収容室における原料と混合して得られた飲料は、最終的に本体構造と接続しているコップ内に流入し、使用者はコップを取れば、香り豊かな飲料を飲むことができる。ポンプをL型の構造に設けて、ポンプの取水口及び出水口をL型構造の水平方向に並設することにより、ポンプの占用する横方向の空間を縮小し、さらに支柱構造のサイズを減少し、それによって該携帯式家庭用ドリンクディスペンサーのサイズを減少することができる。電池を第二収納室内に取り外し可能に設けることで、ユーザーが該携帯式家庭用ドリンクディスペンサーを携帯して外出するとき、いくつかの電池を準備すれば、いつでも飲料を作るという要望を叶えることができる。水タンクの頂部に取り外し可能な蓋を設けて、蓋に排気口及びカバーを設け、カバーが排気口を覆うように透かし彫り構造に設けることにより、ドリンクディスペンサーにおける水蒸気を排出しやすくするだけでなく、ドリンクディスペンサーが傾いたときに熱水が直接噴射して使用者が怪我をするのを防ぐことができる。
【図面の簡単な説明】
【００３６】
【図１】は本実施例の携帯式家庭用ドリンクディスペンサーの断面図である。
【図２】は図１の貫通構造の正面図である。
【図３】は図１の貫通構造の側面図である。
【図４】は図１の貫通ナイフの構造概念図である。
【図５】は支柱構造と電池及びポンプの組立分解図である。
【図６】は本実施例の携帯式家庭用ドリンクディスペンサーの別の角度の断面図である。
【発明を実施するための形態】
【００３７】
以下、具体的な実施方式を組み合わせて本発明をさらに説明する。ここで、図面は例示性説明にのみ用い、表示するのは概念図に過ぎず、実物図ではなく、本特許に対する制限と理解してはならない。よりきちんと本発明の実施例を説明するため、図面の一部部品に省略、拡大または縮小があり、実際の製品のサイズを表しているわけではない。当業者であれば、図面における公知構造及びその説明が省略可能なのは理解できる。
【００３８】
本発明実施例の図面における同じまたは類似の記号は同じまたは類似の部品に対応する。本発明の記述にて、理解すべきことは、用語「上」、「下」、「左」、「右」などの指示する方位または位置関係が図面に示す方位または位置関係に基づいている場合、本発明を記述しやすくし、記述を簡略化するためのものに過ぎず、指し示す装置または部材が必ずしも特定の方位、特定の方位による構造と操作を持っていることを指示または暗示するものではないことである。そのため、図面の位置関係を記述した用語は例示性説明にのみ用い、本特許に対する制限と理解してはならない。当業者であれば、具体的状況から前記用語の具体的な意味は理解できる。
【００３９】
（実施例1）
本実施例の携帯式家庭用ドリンクディスペンサーは、図1〜図6の概念図に示すように、原料を水に加えて飲料を作るために用いられ、本体構造及び本体構造と取り外し可能に接続したコップ100を含み、前記本体構造内には、水を収容するための水収容室と、加圧装置と、原料を収容するための原料収容室と、原料収容室を開閉するための原料収容室基部とがこの順に連通して設けられており、原料収容室基部は、本体構造または原料収容室と取り外し可能に接続され、かつコップ100と連通しており、コップ100が本体構造に接続しているときに形成される空間には、排出するすべての飲料を収容できる。
【００４０】
本実施例では、水収容室は水タンク200であり、原料収容室はカプセルポット600であり、原料収容室基部はカプセルポット基部であり、加圧装置はポンプ500である。
【００４１】
ここで、コップ100の台座は水平構造である。該携帯式家庭用ドリンクディスペンサーを例えばテーブルなどに置いたとき、基部によって該ドリンクディスペンサーをより安定に支持し、ドリンクディスペンサーのテーブル上での安定性を高めることができる。
【００４２】
また、カプセルポット600内において、水で原料を加熱、浸透した後、出来上がった飲料が得られる。こうすることで、原料と水を十分に混合し、出来上がった飲料の香りがより豊かになることを保証する。
【００４３】
ここで、本体構造は、順に接続した第一チャンバー及び第二チャンバーを含み、水タンク200は第一チャンバー内に設けられ、ポンプ500、カプセルポット600及びカプセルポット基部は第二チャンバー内に設けられ、コップ100は第二チャンバーと取り外し可能に接続されている。
【００４４】
また、第一チャンバー内には、水タンク200を加熱するための加熱装置300がさらに設けられている。このような構成により、水タンク200における水のリアルタイムな加熱を容易にする。本実施例では、前記加熱装置300は水タンク200の底部に設けられているPCT加熱チップである。このような構成により、水タンクにおける水の迅速な加熱を保証し、それによって使用者の飲料を飲むまでの待ち時間を削減することができる。
【００４５】
ここで、前記第二チャンバー内には、ポンプ500及び加熱装置300に電力を供給するための電池400がさらに設けられている。電池400を設けることにより、室外に電源がない状況でも、使用者は飲料を作ることができ、使用者に便宜を図る。
【００４６】
また、カプセルポット基部は貫通構造700であり、その貫通構造700はカプセルポット600内における飲料カプセルの底部を刺し通し、かつ飲料カプセルをコップ100に連通させるために用いられる。このような構成により、使用者は原料を詰めた飲料カプセルを使用して飲料を作ることができ、カプセルポットの汚染を防ぐことができ、使用時に飲料カプセルの頂部に予め穴を開けておくだけでよい。
【００４７】
ここで、前記貫通構造700は、貫通台71、凸起72及び貫通孔73を含み、前記凸起72は貫通台71の上面に設けられ、カプセルポット600内にある飲料カプセルの底部を刺し通すために用いられ、前記貫通孔73は貫通台71を刺し通し、飲料カプセルをコップ100に連通させるために用いられる。凸起72は貫通構造700の上方にある飲料カプセルの底部と接触したとき、飲料カプセルの底部に圧力を加え、飲料カプセル内の圧力が一定値に達したとき、凸起72が飲料カプセルの底部を刺し通し、飲料カプセルにおける出来上がった飲料液が貫通孔73からコップ100内に流れ出す。このような構成により、飲料カプセルにおける飲料液がスムーズに流出し、ユーザーの待ち時間を削減する。
【００４８】
また、前記貫通孔73は、中空構造である凸起72に設けられており、または、前記凸起72と貫通孔73とは、貫通台71に交差して設けられている。本実施例では、図2に示すように、凸起72と貫通孔73とは貫通台71に交差して設けられ、かつ格子状に配列されている。このような構成により、貫通構造700全体が受ける力を均一にし、受ける力の不均一がもたらす貫通不良及び導流不良などの問題を防ぐ。
【００４９】
本実施例では、前記凸起72は台形構造を呈している。このような構成により、同様の圧力において、凸起72から飲料カプセルの底部に加える圧力を強め、飲料カプセル底部への刺し通しに役立つ。
【００５０】
ここで、前記貫通構造700は貫通台台座74をさらに含み、貫通台71が貫通台台座74内に嵌設され、貫通台台座74の底部に飲料液流出口が設けられている。貫通台台座74とカプセルポット600の底部をネジまたは留め具付きのスナップによって接続することで、貫通構造700における凸起72を飲料カプセルの底部と密接させ、凸起72が飲料カプセルの底部を刺し通すことを容易にする。本実施例では、貫通台台座74をカプセルポット600の底部とネジ接続している。このような構成により、飲料カプセル内の圧力が大きくなりすぎたときに貫通構造700を外に押し付けることで、貫通構造700が飲料カプセルの底部を完全に貫通できず、コーヒー液がスムーズに流出できないことを防止できる。
【００５１】
また、前記カプセルポット600内には、飲料カプセルの頂部を刺し通すための貫通ナイフ61が設けられている。飲料カプセルを使用して飲料を作るとき、このような構成により、飲料カプセルの頂部に予め穴を開けておく手間を省くことができ、使用者に便宜を図る。
【００５２】
ここで、前記貫通ナイフ61は、貫通ナイフ台座611と、貫通ナイフ台座611に設けられたブレード612とを含み、前記貫通ナイフ台座611は円環状構造であり、カプセルポット600の頂部に嵌設され、カプセルポット600は、頂部にポンプ50の出水口に連通した穴が設けられ、その頂部における穴に円環状構造の内環が対向している。このような構成により、カプセルポット600の構造を簡素化できる。
【００５３】
本実施例では、前記ブレード612は、貫通ナイフ台座611を取り囲むように設けられている。こうすることで、貫通ナイフ台座611の強度を保証する同時に、貫通ナイフ台座611のサイズを減少でき、そうすることでカプセルポット600のサイズを減少できる。前記ブレード612の刃部は傾斜構造を呈している。このような構成により、ブレードの刃部と飲料カプセルの頂部との接触面が徐々に増大し、ブレードの刃先が飲料カプセルの頂部と接触するとき、飲料カプセルの頂部に加わる圧力が大きくなり、ブレードが飲料カプセル頂部を刺し通すことを容易にする。
【００５４】
また、前記カプセルポット600は、底部の周縁が外側に向かって延びている。このような構成により、カプセルポット600の下方にある貫通構造700が飲料カプセルと接触するとき、貫通構造700を支持する効果を発揮し、貫通構造700が飲料カプセルの底部を刺し通すことを容易にする。
【００５５】
ここで、第二チャンバー内には、垂直の第一収納室81及び第二収納室82を含む支柱構造800が設けられており、ポンプ500及び電池400はそれぞれ第一収納室81と第二収納室82内に固定して取り付けられ、前記第一収納室81の底部に開口部811が設けられ、ポンプ500の出水口は開口部811与を通じてカプセルポット600と連通しており、ポンプ500及び電池400を支柱構造800に取り付けた後、全体として略円柱体構造を呈している。このような構成により、ポンプ500、電池400及びカプセルポット600の取り付け空間は合理的に配置され、それによって、該携帯式家庭用ドリンクディスペンサー全体の嵩が小さくなり、ユーザーの携帯に便利である。
【００５６】
また、前記ポンプ500は、L型構造を呈し、その取水口及び出水口がL型構造の水平方向に並設されている。このような構成により、ポンプ500の占用する横方向の空間を縮小し、さらに支柱構造800のサイズを減少し、それによって該携帯式家庭用ドリンクディスペンサーのサイズを減少することができる。
【００５７】
ここで、前記電池400は第二収納室82内に取り外し可能に設けられている。ユーザーが該携帯式家庭用ドリンクディスペンサーを携帯して外出するとき、いくつかの電池400を準備すれば、いつでも飲料を作るという要望を叶えることができる。本実施例では、前記電池400と第二収納室82の間には、防水ワッシャー41が設けられている。防水ワッシャー41を設けることにより、よりしっかりと電池400を保護し、電池400への水の浸入を防ぐことができる。
【００５８】
また、前記開口部811は楕円形構造を呈し、長手方向における一端がポンプ500の出水口と連通して、他端が支柱構造800底部の中心に位置する。このような構成により、水を支柱構造800の側壁から支柱構造800の中心に流れ出しやすく、その後飲料を淹れるときに支柱構造の側壁への衝撃力によるドリンクディスペンサーの傾きを防ぐ。
【００５９】
ここで、前記第一収納室81内には、ポンプ500を固定するための固定板51が設けられている。ポンプ500を二つの固定板51の間に位置させることにより、ポンプ500のモーター作動時にポンプ500の揺れ、それよってポンプ500の取水口及び出水口との接続構造の緩み、ポンプ500の取水口及び出水口からの水漏れを防ぐ。
【００６０】
また、前記支柱構造800は、ポンプ500を固定するための固定リング52をさらに含み、前記固定リング52は、第一収納室81と接続されている。固定リング52はポンプ500の外側に取り付けた後、固定リング52の両側をネジによって第一収納室81と接続する。そうすることでポンプ500をさらに固定し、ポンプ500の揺れを防止することができる。
【００６１】
ここで、水タンク200の頂部に取り外し可能な蓋が設けられ、前記蓋に排気口1及びカバー2が設けられ、カバー2は、透かし彫り構造を呈し、排気口1を覆うように構成されている。排気口1を設けることにより、ドリンクディスペンサーにおける水蒸気を排出しやすく、カバー2を設けることにより、ドリンクディスペンサーが傾いたときに熱水が直接噴射して使用者が怪我をするのを防ぐことができる。
【００６２】
また、前記ドリンクディスペンサーは、逆止弁900をさらに含み、ポンプ500の出水口は逆止弁900を通じてカプセルポット600と連通している。逆止弁900を設けることにより、出来上がった飲料液の逆流を防止できる。
【００６３】
ここで、コップ100の外壁にはシリコーンが設けられている。シリコーンはコップ100とテーブル表面または使用者の手との摩擦力を高め、滑り防止の役割を果たす。
【００６４】
また、本体構造には、電池400と接続する交流アダプター差込口480がさらに設けられている。USBの両端をそれぞれ交流アダプター差込口480及び車の電源に接続すると、該家庭用ドリンクディスペンサーを駆動して飲料を作成したり、電池を充電したりすることができる。
【００６５】
ここで、水タンク200の最大容量は50mlである。
【００６６】
また，ポンプ500動作時の圧力は少なくとも7barsである。本実施例では、ポンプ500における水が飲料カプセルに侵入するときの貫通圧力は15barsである。高圧力の水により、出来上がった飲料の香りの豊かさを保証できる。
【００６７】
該携帯式家庭用ドリンクディスペンサーを使用してコーヒーを淹れるとき、貫通台台座74をカプセルポット600の底部から回転して取り外し、飲料カプセルをカプセルポット600内にセットした後、貫通台台座74をカプセルポット600の底部とネジ接続し、貫通ナイフ61が飲料カプセルの頂部を刺し通す。電池400が加熱装置300に電力を供給して水タンク200における水を加熱し、加熱完了後、水タンク200における熱湯がポンプ500の取水口に流れ込み、ポンプ500の出水口から高圧水に変わって流れ出し、高圧水が飲料カプセル頂部の貫通ナイフ61の刺し通した位置から飲料カプセル内に流れ込み、飲料カプセル内の圧力が一定値に達したとき、貫通構造700上の凸起72が飲料カプセルの底部を刺し通し、飲料カプセルにおける出来上がった香り豊かな飲料液が貫通構造700上の貫通孔73から流れ出し、飲料液流出口を通じてコップ100に入る。本発明の携帯式家庭用ドリンクディスペンサーは、ユーザーが携帯しやすいように、構造が単純で、嵩が小さいだけでなく、ユーザーのいつでもどこでも飲料を飲みたいという要望を満たし、かつ飲料を淹れたとき自動で高圧水を発生させることができ、出来上がった飲料の香りは豊かである。
【００６８】
（実施例2）
実施例2と実施例1の相違点は、実施例2では、カプセルポット600に飲料カプセル頂部を刺し通すための貫通ナイフ61が設けられず、カプセルポット基部が貫通構造700ではなく、カプセルポット基部がカプセルポット600と接続し、ドリンクパウダーをカプセルポット600に導入する役割を持つことにある。本実施例におけるドリンクパウダーは茶葉を含む。該携帯式家庭用ドリンクディスペンサーを使用して飲料を淹れるとき、カプセルポット基部をカプセルポット600から離し、ドリンクパウダーをカプセルポット600に入れた後、カプセルポット基部をカプセルポット600と接続し、ポンプ500から流出した高圧水がカプセルポット600頂部からカプセルポット600内に入ってカプセルポット600におけるドリンクパウダーを溶かし、カプセルポット600内で出来上がった香りの豊かな飲料液がカプセルポット基部を流れてコップ100に入る。使用者はコップ100を取り外せば飲料を飲むことができる。
【００６９】
（実施例3）
実施例3と実施例2の相違点は、前記カプセルポット基部は貫通構造700であり、その貫通構造700はカプセルポット600内における飲料カプセルの底部を刺し通し、かつ飲料カプセルをコップ100に連通させるために用いられることにある。該携帯式家庭用ドリンクディスペンサーを使用して飲料を淹れるとき、予め飲料カプセルの頂部に穴を開け、貫通構造700をカプセルポット600から離し、飲料カプセルをカプセルポット600内に置いた後、貫通構造700をカプセルポット600に接続し、ポンプ500から流出した高圧水が飲料カプセル頂部に設けた穴から飲料カプセル内に入り、飲料カプセル内の圧力が一定値に達したとき、貫通構造700が飲料カプセルの底部を刺し通し、飲料カプセル内で出来上がった香りの豊かな飲料液が貫通構造700を流れてコップ100に入る。
【００７０】
（実施例4）
実施例4と実施例2の相違点は、前記カプセルポット600内に飲料カプセル頂部を刺し通すための貫通ナイフ61が設けられていることにある。飲料カプセルの底部に予め穴を開け、カプセルポット600に飲料カプセルを置いたとき、貫通ナイフ61が飲料カプセルの頂部を刺し通し、飲料カプセルの頂部に予め穴を開けておくステップを省略でき、使用者に便宜を図る。
【００７１】
言うまでもなく、本発明の前記実施例は本発明をよりきちんと説明するために挙げた例に過ぎず、本発明の実施方式に限定するものではない。当業者であれば、前記説明をもとに、さらに他の異なる形式の変更または変動を行うことができる。ここではすべての実施方式について述べる必要はなく、またすることもできない。本発明の精神と原則の範囲内にて行った修正、同等置換と改良などはすべて本発明の請求項の保護範囲に含まれる。
【図１】
2018047236.tif 000003
【図２】
2018047236.tif 000004
【図３】
2018047236.tif 000005
【図４】
2018047236.tif 000006
【図５】
2018047236.tif 000007
【図６】
2018047236.tif 000008